(57)【特許請求の範囲】
【請求項１】
画像を表示する表示手段と、
第１種の処理手段と、
ダミー処理手段と第２種の処理手段とを備えた処理管理手段と、
前記第１種の処理手段と前記第２種の処理手段とを動作させ、また、前記表示手段に表示する権利を前記第１種の処理手段と前記処理管理手段とのいずれかに与える制御手段とを有し、
前記処理管理手段は、前記制御手段によって与えられた表示手段に表示する権利を前記ダミー処理手段及び前記第２種の処理手段のいずれかに与え、
前記ダミー処理手段は、前記処理管理手段によって前記表示手段に表示する権利を与えられたか否かに係らず前記表示手段に表示せず、
前記制御手段は、前記第２種の処理手段が動作している際に前記第１種の処理手段を動作させる場合、前記処理管理手段を制御して前記表示手段に表示する権利を前記ダミー処理手段に与えさせ、前記第１種の処理手段を動作させて、前記第１種の処理手段に前記表示手段に表示する権利を与える
ことを特徴とする情報処理装置。
【請求項２】
入力手段を更に有し、
前記制御手段は、前記表示手段に表示する権利に併せて前記入力手段から入力された情報を使用する権利を前記第１種の処理手段と前記処理管理手段とのいずれかに与え、
前記処理管理手段は、前記制御手段によって表示手段に表示する権利に併せて与えられた前記入力手段から入力された情報を使用する権利を前記表示手段に表示する権利に併せて前記ダミー処理手段及び前記第２種の処理手段のいずれかに与え、
前記ダミー処理手段は、前記処理管理手段によって前記入力手段から入力された情報を使用する権利を与えられたか否かに係らず前記入力手段によって入力された情報に依存した動作をしない
ことを特徴とする請求項１に記載の情報処理装置。
【請求項３】
画像を表示する表示手段と、
ダミー処理手段、第１の処理手段及び第２の処理手段を備えた処理管理手段と、
前記第１の処理手段及び前記第２の処理手段を動作させ、動作を中断させ、また、動作を終了させる制御手段とを有し、
前記処理管理手段は、前記ダミー処理手段、第１の処理手段及び前記第２の処理手段のいずれかに前記表示手段に表示する権利を与え、
前記ダミー処理手段は、前記処理管理手段によって表示手段に表示する権利を与えられたか否かに係らず前記表示手段に表示せず、
前記制御手段は、前記第１の処理手段が前記表示手段に表示する権利を与えられて動作しており、かつ、前記第２の処理部が動作を中断している際に前記第１の処理手段の動作を終了させる場合、前記処理管理手段を制御して前記ダミー処理手段に前記表示手段に表示する権利を与えさせ、前記第１の処理手段の動作を終了させ、前記第２の処理手段を動作させて、前記処理管理手段を制御して前記第２の処理手段に前記表示手段に表示する権利を与えさせる
ことを特徴とする情報処理装置。
【請求項４】
入力手段を更に有し、
前記処理管理手段は、前記表示手段に表示する権利に併せて前記入力手段から入力された情報を使用する権利を前記ダミー処理手段、第１の処理手段及び前記第２の処理手段のいずれかに与え、
前記ダミー処理手段は、前記処理管理手段によって前記入力手段から入力された情報を使用する権利を与えられたか否かに係らず前記入力手段によって入力された情報に依存した動作をしない
ことを特徴とする請求項３に記載の情報処理装置。
【発明の詳細な説明】
【技術分野】
【０００１】
本発明は、情報処理装置に係り、特に、装置の処理動作を複数のグループに分けて管理する処理に関する。
【背景技術】
【０００２】
情報処理装置は、制御部と所望の動作を行う複数の処理部とを有し、制御部は、それらの処理部に優先度を付し、その優先度に従って動作させ、また、画像表示部を含む入出力部を使用させる権利を与える制御処理が知られている。ソフトウェアによって実装された情報処理装置においては、制御部は、オペレーティングシステムのタスク管理機能及びリソース管理機能であり、処理部は、各種のアプリケーションプログラムによるタスクである。
【０００３】
複数の処理部が同時に動く場合、特に画像表示制御機能、即ち、画像表示部を使用させる処理部の決定及び切り替えには念入りな処理が必須である。なぜなら、画像表示部に表示された画像は使用者によって直接視認されるので、乱れた表示は装置の使い心地に大きな悪影響を与えるからである。
【０００４】
そこで、画像表示部を有する情報処理装置は、画像表示部を使用させる処理部の切り替えに際して、表示が途切れないこと及び無用な表示が行われないことを満たす制御を行う画像表示制御機能を有する。この制御の一例は、各処理部に画像処理部の表示画面の一部または全部からなるウィンドウと呼ばれる区画を割り当て、複数のウィンドウが表示画面の同じ位置を占める場合、最前面にあるとされたウィンドウが表示される制御である。この制御機能は、ウィンドウシステムと呼ばれている。
【０００５】
一方、異なる制御部の制御の元で動作する処理部の動作が１台の情報処理装置で必要となり、それらの処理部を１台の装置に統合して用いることが望まれることがある。異なる制御部は、異なる画面表示制御機能を有することが多く、ある処理部が動作する際、その処理部を制御する制御部の画面表示制御機能、例えば、ウィンドウシステムを併せて動作させる処理が知られている（例えば、特許文献１参照。）。
【特許文献１】特開平１０−１６１８６１号公報（第２頁、図１）
【発明の開示】
【発明が解決しようとする課題】
【０００６】
しかしながら、上述した特許文献１に開示されている方法では、画面表示制御機能が切り替えられる際、即ち、切り替え前に動作していた処理部による表示から切り替え後に動作させる処理部による表示に切り替わる際に表示に乱れが生じる可能性がある問題点があった。例えば、切り替え前の画面表示制御機能は、動作の終了に際して、画像表示部の表示を全て消去する場合、切り替え後の画面表示制御機能が動作を開始するまでの間、画像表示部に表示がされないこととなり、使用者に違和感を与える。
【０００７】
本発明は上記問題点を解決するためになされたもので、装置の処理動作を複数のグループに分けて管理する場合に、表示画面の切り替えの際に使用者に違和感を与えないように制御することができる情報処理装置を提供することを目的とする。
【課題を解決するための手段】
【０００８】
上記目的を達成するために、本発明の情報処理装置は、画像を表示する表示手段と、第１種の処理手段と、ダミー処理手段及び第２種の処理手段を備えた処理管理手段と、前記第１種の処理手段及び前記第２種の処理手段とを動作させ、また、前記表示手段に表示する権利を前記第１種の処理手段と前記処理管理手段とのいずれかに与える制御手段とを有し、前記処理管理手段は、前記制御手段によって与えられた表示手段に表示する権利を前記ダミー処理手段及び前記第２種の処理手段のいずれかに与え、前記ダミー処理手段は、前記処理管理手段によって前記表示手段に表示する権利を与えられたか否かに係らず前記表示手段に表示せず、前記制御手段は、前記第２種の処理手段が動作している際に前記第１種の処理手段を動作させる場合、前記処理管理手段を制御して前記表示手段に表示する権利を前記ダミー処理手段に与えさせ、前記第１種の処理手段を動作させて、前記第１種の処理手段に前記表示手段に表示する権利を与えることを特徴とする。
【０００９】
また、本発明の情報処理装置は、画像を表示する表示手段と、ダミー処理手段、第１の処理手段及び第２の処理手段を備えた処理管理手段と、前記第１の処理手段及び前記第２の処理手段を動作させ、動作を中断させ、また、動作を終了させる制御手段とを有し、前記処理管理手段は、前記ダミー処理手段、第１の処理手段及び前記第２の処理手段のいずれかに前記表示手段に表示する権利を与え、前記ダミー処理手段は、前記処理管理手段によって表示手段に表示する権利を与えられたか否かに係らず前記表示手段に表示せず、前記制御手段は、前記第１の処理手段が前記表示手段に表示する権利を与えられて動作しており、かつ、前記第２の処理部が動作を中断している際に前記第１の処理手段の動作を終了させる場合、前記処理管理手段を制御して前記ダミー処理手段に前記表示手段に表示する権利を与えさせ、前記第１の処理手段の動作を終了させ、前記第２の処理手段を動作させて、前記処理管理手段を制御して前記第２の処理手段に前記表示手段に表示する権利を与えさせることを特徴とする。
【発明の効果】
【００１０】
本発明によれば、装置の処理動作を複数のグループに分けて管理する場合に、表示画面の切り替えの際に使用者に違和感を与えないように制御することができる情報処理装置を提供することができる。
【発明を実施するための最良の形態】
【００１１】
以下に、本発明による情報処理装置の実施の形態を、図面を参照して説明する。図１は、本発明の実施形態に係る情報処理装置が適用された移動通信端末装置の構成を示すブロック図である。この移動通信端末装置は、装置全体の制御を行う総合制御部１１と、総合動作状況記憶部１１ａと、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、第１の処理管理部２１と、第２の処理管理部３１とからなる。総合動作状況記憶部１１ａには、総合動作状況１１ｂが記憶される。
【００１２】
図２は、第１の処理管理部２１の詳細な構成を示すブロック図である。第１の処理管理部２１は、第１の処理管理部２１の各部による表示部１５への画像の表示の制御を含む、第１の処理管理部２１の制御を行う第１の制御部２２と、第１の動作状況記憶部２３と、第１のダミー処理部２４と、待ち受け処理部２５と、通話処理部２６と、アドレス帳処理部２７と、アドレス帳記憶部２８とならなる。
【００１３】
第１の動作状況記憶部２３には、第１の動作状況２３ａが記憶される。アドレス帳記憶部２８には、アドレス帳２８ａが記憶される。アドレス帳２８ａは、少なくとも氏名と、電話番号と、電子メールアドレスとが関連付けられた情報からなる。
【００１４】
図３は、第２の処理管理部３１の詳細な構成を示すブロック図である。第２の処理管理部３１は、データ通信機能を処理する処理部のグループである。そして、第２の処理管理部３１の各部による表示部１５への画像の表示の制御を含む、第２の処理管理部３１の制御を行う第２の制御部３２と、第２の動作状況記憶部３３と、第２のダミー処理部３４と、電子メール処理部３５と、ブラウザ処理部３６とからなる。第２の動作状況記憶部３３には、第２の動作状況３３ａが記憶される。
【００１５】
上記のように構成された、本発明の実施形態に係る情報処理装置の各部の動作を、図１〜図３を参照して説明する。
【００１６】
通信部１２ｂは、アンテナ１２ａが受信した高周波信号を送受信部１３へ出力し、また、送受信部１３から出力される高周波信号をアンテナ１２ａより送信する。
【００１７】
送受信部１３は、通信部１２ｂからの高周波信号を増幅、周波数変換及び復調し、それによって得られたディジタル音声信号を通話部１４ｃへ、また、制御信号を総合制御部１１に送る。更には、通話部１４ｃから出力されるディジタル音声信号、及び総合制御部１１から出力される制御信号を変調、周波数変換及び増幅し、高周波信号を得て、それを通信部１２ｂに送る。
【００１８】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１９】
表示部１５は、総合制御部１１に制御されることで、カーソルを含む文字・数字を含む画像データの表示動作を行い、表示されているデータは、入力装置１６からの入力操作や着信信号に応答して総合制御部１１からの指示を受けることで切換わる。
【００２０】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が総合制御部１１に通知され、総合制御部１１の制御に基づいて、表示部１５に文字として表示されたり、キーの押下に基づく制御が行われたりする。
【００２１】
第１の処理管理部２１は、前述の通りの構成であり、通話機能等を処理する処理部のグループであって、第１の処理管理部２１の各部の中で制御された処理部が入力装置１６のキー操作等に従って動作し、動作の結果を表示部１５への画像表示として出力する。
【００２２】
第１の制御部２２は、第１の処理管理部２１内の処理部の動作状態を制御する。
【００２３】
待ち受け処理部２５は、装置の電源が投入された際に起動され、所定の待ち受け画面を表示部１５に表示する。なお、起動処理については、後で詳述する。ここで、待ち受け画面は、静止画像であっても良く、動画像であっても良い。そして、待ち受け処理部２５は、入力装置１６のキーが操作されると、総合制御部１１を経由してそのキーに対応付けられた処理部を起動する。また、基地局から通話着信信号が受信された際に入力装置１６の通話キーが操作されると、通話処理部２６を起動する。待ち受け処理部２５は、装置の電源の切断に至るまで動作を終了しない。
【００２４】
通話処理部２６は、通話を行う処理部であり、待ち受け処理部２５が動作中に入力装置１６の所定のキーが操作された際、及び、アドレス帳処理部２７が動作中にアドレス帳２８ａに含まれる電話番号が表示され、入力装置１６の所定のキーが操作された際に起動され、通信部１２ｂ、送受信部１３及び通話部１４ｃを起動して、発信処理及び通話処理をさせ、所定の画像を表示部１５に表示する。また、通話処理部２６は、送受信部１３によって通話着信信号が受信されると総合制御部１１によって起動され、通信部１２ｂ、送受信部１３及び通話部１４ｃを起動して、着信処理及び通話処理をさせ、所定の画像を表示部１５に表示する。通話中に入力装置１６の所定のキーが操作された際、通話処理部２６は、動作を終了する。
【００２５】
アドレス帳処理部２７は、アドレス帳２８ａを管理する処理部であり、待ち受け処理部２５が動作中に入力装置１６の所定のキーが操作された際に起動され、アドレス帳記憶部２８に記憶されたアドレス帳２８ａを読み出して表示部１５に表示、アドレス帳２８ａに情報の格納、アドレス帳２８ａの情報の更新、及び、アドレス帳２８ａの情報の削除を行う。
【００２６】
また、アドレス帳２８ａに含まれる電話番号が表示されている際、入力装置１６の所定のキーが操作されると、アドレス帳処理部２７は、総合制御部１１を経由して通話処理部２６を起動する。また、アドレス帳２８ａに含まれる電子メールアドレスが表示されている際、入力装置１６の所定のキーが操作されると、総合制御部１１を経由して第２の処理管理部３１の電子メール処理部３５を起動する。アドレス帳処理部２７は、入力装置１６の所定のキーが操作された際、動作を終了する。
【００２７】
第２の処理管理部３１は、前述の通りの構成であり、データ通信機能を処理する処理部のグループであって、第２の処理管理部３１内の各部の中で制御された処理部が入力装置１６のキー操作等に従って動作し、動作の結果を表示部１５への画像表示として出力する。
【００２８】
第２の制御部３２は、第２の処理管理部３１内の処理部の動作状態を制御する。
【００２９】
電子メール処理部３５は、電子メールの送信及び受信を行う処理部であり、電子メール処理部３５の電子メール送信動作は、入力装置１６の所定のキー操作がされた際、及びアドレス帳処理部２７が動作中にアドレス帳２８ａに含まれる電子メールアドレスが表示されて入力装置１６の所定のキーが操作された際に起動され、入力装置１６の所定のキー操作によって作成された電子メールの標題と本文とを総合制御部１１及び送受信部１３を経由して送信して、動作を終了する。
【００３０】
また、電子メール処理部３５の電子メール受信動作は、送受信部１３によって電子メールが受信されると総合制御部１１によって起動され、受信された電子メールをメールボックス（図示せず）に記憶して、動作を終了する。
【００３１】
ブラウザ処理部３６は、ウェブサイトへアクセスする処理部である。即ち、ブラウザ処理部３６は、入力装置１６の所定のキーが操作された際、総合制御部１１によって起動され、ウェブサイトへアクセスする動作を開始する。ブラウザ処理部３６は、続いて、入力装置１６のキー操作によってウェブサイトのアドレスを作成し、作成されたアドレスによって識別されるウェブサイトへ総合制御部１１及び送受信部１３を経由してアクセスし、そのウェブサイトから送信された情報を送受信部１３及び総合制御部１１を経由して受信して、表示部１５に表示する。ブラウザ処理部３６は、入力装置１６の所定のキーが操作された際、動作を終了する。
【００３２】
以下、本実施形態に係る移動通信端末装置の、処理部の管理処理、特に、動作中の処理部の切り替え処理に関する動作を説明する。
【００３３】
（処理部の状態及び優先度）
まず、処理部の状態を説明する。第１の処理管理部２１に属する処理部（第１のダミー処理部２４、待ち受け処理部２５、通話処理部２６及びアドレス帳処理部２７）と、第２の処理管理部３１に属する処理部（第２のダミー処理部３４、電子メール処理部３５及びブラウザ処理部３６）は、実行可能状態（Ready、表示部１５への表示の権利と、入力装置１６のキー操作を受け取る権利とを得れば、直ちに動作できる状態。）、一時停止状態（Suspend、表示部１５への表示の権利と、入力装置１６のキー操作を受け取る権利とを得ても直ちには動作できない状態。）及び終了状態のいずれかの状態にあるように制御される。
【００３４】
第１の処理管理部２１に属する処理部であって、実行可能状態または一時停止状態にある処理部には、第１の処理管理部２１内での優先度が付される。第２の処理管理部３１に属する処理部についても、同様である。後述するように、新たに実行可能状態におかれた処理部には最高の優先度が付されるが原則である。
【００３５】
第１の処理管理部２１に属する実行可能状態であって、第１の処理管理部２１内で最も優先度が高い処理部が動作中（Active、表示部１５への表示の権利と、入力装置１６のキー操作を受け取る権利とを得て、動作している状態。）であると第１の処理管理部２１内でみなされる。また同様に、第２の処理管理部３１に属する実行可能状態であって、第２の処理管理部３１内で最も優先度が高い処理部が動作中であると第２の処理管理部３１内でみなされる。
【００３６】
また、第１の処理管理部２１は、実行可能状態である処理部がなく、一時停止状態である処理部がある場合、一時停止状態である処理部の少なくとも１つが実行可能状態に移される。また、第２の処理管理部についても同様である。
【００３７】
なお、上述したように、動作中とみなされる処理部は、第１の処理管理部２１に属する処理部が１つと、第２の処理管理部３１に属する処理部が１つの合計２つであるが、後述するように、総合制御部１１によって表示部１５への表示の権利と、入力装置１６のキー操作を受け取る権利とは１つの処理部に与えられ、動作中の処理部は１つであるように制御される。また、動作中であると制御される処理部は、最後に動作中であるとみなされるに至った処理部である。
【００３８】
第１の処理管理部２１に属する処理部は、１つまたは２つが実行可能状態にある。また、第２の処理管理部３１に属する処理部は、１つまたは２つが実行可能状態にある。そして、実行可能状態にある処理部は、実行可能状態に移されつつある処理部、動作中の処理部及びダミー処理部に限るように制御されることによって、処理部の消費電力を削減するが、これに限るものではない。上記以外の処理部が実行可能状態にあるように制御することによって、動作中の処理部を迅速に切り替えるとしても良い。
【００３９】
第１の処理管理部２１に属する処理部について、処理部をいずれの状態に移すかの判断は、総合制御部１１及び第１の制御部２２によって制御される。また、第２の処理管理部３１に属する処理部については、総合制御部１１及び第２の制御部３２によって制御される。そして、処理部を実行可能状態に移すことは、第１の制御部２２及び第２の制御部３２を経由して、総合制御部１１によって制御される（この制御を起動と記す。）。
【００４０】
そして、起動の完了とは、新たに起動された処理部が表示部１５に表示させる画像の作成を完了し、かつ、操作された入力装置１６のキーの識別子を得た際に、その識別子に対応する処理を行うことができることになったこと（即ち、その処理部は、入力装置１６の操作されたキーに基づいた処理が行えなかったが、行えるように変わったこと。）を意味する。
【００４１】
総合制御部１１は、第１の制御部２２又は第２の制御部３２を経由して起動させた処理部を、起動させた順を付して、また、優先度を付して総合動作状況１１ｂに記憶する。更に、第１の処理管理部２１と第２の処理管理部３１との中で、いずれが高い優先度であるかを総合動作状況１１ｂに記憶する。そして、第１の処理管理部２１と第２の処理管理部３１との中で高い優先度である処理管理部の制御部（第１の制御部２２または第２の制御部３２）に表示部１５への表示の権利と、入力装置１６のキー操作を受け取る権利との制御を委ねる。なお、高い優先度である処理管理部は、原則として、最後に起動された処理部が属する処理管理部であるが、詳細は後述する。
【００４２】
ここで、第１のダミー処理部２４と第２のダミー処理部３４とは、装置の電源投入に伴って起動され、終了することはない。また、装置の電源投入の際、第１のダミー処理部２４と第２のダミー処理部３４との起動に続いて待ち受け処理部２５が起動され、終了することはないため、第１のダミー処理部２４と、第２のダミー処理部３４と、待ち受け処理部２５とは常に実行可能状態か、一時停止状態にある。そのため、第１の処理管理部２１と第２の処理管理部３１との中でいずれが優先度が高いかが不定であることはない。
【００４３】
第１の制御部２２は、第１の処理管理部２１に属する処理部であって、実行可能状態にある処理部及び一時停止状態にある処理部と、総合制御部１１の制御に従ってそれらの処理部に付された優先度とを第１の動作状況２３ａに記憶する。そして、第１の処理管理部２１に表示部１５への表示の権利と、入力装置１６のキー操作を受け取る権利との制御を委ねられている場合、最も高い優先度が付された処理部にそれらの権利を与える。
【００４４】
また、最も高い優先度が付された処理部のみを実行可能状態に置くため、その処理部は動作中となり、その他の処理部を一時停止状態に置く。しかし、後述するように、処理部の起動中、又は終了処理中に総合制御部１１によって指示された場合、最も高い優先度が付された処理部以外の処理部を実行可能状態に置くことがある。
【００４５】
また、一時停止状態の処理部は、例えば、送受信部１３からの信号を受信することによって処理をすることがあるが（ソフトウェアによって実装された情報処理装置においては、割り込み発生による処理である。）、総合制御部１１によって起動されない場合、優先度は変わらず、その結果、動作中とは見なされない。また、一時停止状態の処理部は、表示部１５への表示の権利と、入力装置１６のキー操作を受け取る権利が与えられることはない。
【００４６】
第２の制御部３２は、第２の処理管理部３１に属する処理部を管理し、状況を第２の動作状況３３ａに記憶するが、動作は、第１の制御部２２と同様であり、詳細な説明を省略する。
【００４７】
（ダミー処理部の動作）
第１のダミー処理部２４の動作と、第２のダミー処理部３４の動作を説明する。ここで、これらの動作は同一であり、第１のダミー処理部２４の動作のみを説明し、第２のダミー処理部３４の動作の説明を省略する。
【００４８】
第１のダミー処理部２４は、最も高い優先度が付され、実行可能状態に置かれた場合、表示部１５への表示の権利が与えられるが、表示部１５への表示を行わない。この表示を行わないことによって、第１のダミー処理部２４が実行可能状態に置かれる前の表示を表示部１５に維持させる。また、第１のダミー処理部２４は、実行可能状態に置かれた場合、入力装置１６のキー操作を受け取る権利が与えられるが、このキー操作に依存した動作を行わない。このキー操作に依存した動作を行わないことによって、キー操作が行われたとしても、装置の動作に変化を与えない。
【００４９】
（新たに処理部を起動する際の処理）
まず、動作中の処理部（処理部の起動中、又は終了処理中でない限り、この処理部は、ダミー処理部以外の処理部であって、入力装置１６のキー操作を受け取って動作し、動作結果を表示部１５へ表示している。）が第１の処理管理部２１に属する処理部であり、かつ、新たに起動する処理部が第１の処理管理部２１に属する処理部である場合の総合制御部１１の処理部起動の制御動作を説明する。
【００５０】
図４は、この場合の、総合制御部１１の処理部起動の制御動作のフローチャートを示す。総合制御部１１は、動作中の処理部が第１の処理管理部２１に属する処理部であり、かつ、新たに起動する処理部が第１の処理管理部２１に属する処理部である場合、制御動作を開始して（ステップＳ１１ａ）、第１の制御部２２を制御して、第１のダミー処理部２４を第１の処理管理部２１内の処理部の中で、最も優先度を高くさせて、動作中とさせる（ステップＳ１１ｂ）。ここで、併せて、ステップＳ１１ａの制御動作開始の際に動作中であった処理部を一時停止状態におかせる。
【００５１】
次に、総合制御部１１は、第１の制御部２２を制御して、新たに起動する処理部を第１のダミー処理部２４の優先度未満の優先度で起動させる（ステップＳ１１ｃ、その処理部は、起動前には一時停止状態または終了状態にあるので、実行可能状態に移させる。そして、第１の処理管理部２１に属する処理部の中で最も高い優先度の処理部は、第１のダミー処理部２４であるので、起動するタスクを第１のダミー処理部２４に次いで、２番目に高い優先度で起動させても良い。）。そして、総合制御部１１は起動が完了したとの通知を受け取ったか否かを調べることにより起動完了を待つ（ステップＳ１１ｄ）。その後、起動が完了した場合、その新たに起動された処理部を第１の処理管理部２１内の処理部の中で、最も優先度を高くさせて動作中とさせる（ステップＳ１１ｅ）。そして、制御動作を終了する（ステップＳ１１ｆ）。ここで、併せて、第１のダミー処理部２４を一時停止状態におかせる。
【００５２】
この結果、第１のダミー処理部２４は、第１の処理管理部２１内の処理部の中で、２番目に優先度が高くなる。更に、総合制御部１１は、ステップＳ１１ａの制御動作開始の際に動作中であった処理部を終了させることもある。
【００５３】
この起動処理によって、新たに起動される処理部の起動が開始されてから完了するまでの間、表示部１５の表示は変化せず、入力装置１６のキー操作によって装置の処理部が処理を行うことはなく、装置の使用者に違和感を与えることはない。
【００５４】
次に、動作中の処理部が第２の処理管理部３１に属する処理部であり、かつ、新たに起動する処理部が第２の処理管理部３１に属する処理部である場合の総合制御部１１の処理部起動の制御動作を説明する。
【００５５】
総合制御部１１は、動作中の処理部が第２の処理管理部３１に属する処理部であり、かつ、新たに起動する処理部が第２の処理管理部３１に属する処理部である場合、第２の制御部３２を制御して、第２のダミー処理部３４を第２の処理管理部３１内の処理部の中で、最も優先度を高くさせ、新たに起動する処理部の起動が完了した際、その新たに起動された処理部を第２の処理管理部３１内の処理部の中で、最も優先度を高くさせるが、上記の動作中の処理部が第１の処理管理部２１に属する処理部のいずれかであり、かつ、起動する処理部が第１の処理管理部２１に属する処理部である場合と同様の制御であり、フローチャートを参照した説明を省略する。
【００５６】
次に、動作中の処理部が第２の処理管理部３１に属する処理部であり、かつ、新たに起動する処理部が第１の処理管理部２１に属する処理部である場合の総合制御部１１の処理部起動の制御動作を説明する。
【００５７】
図５は、この場合の総合制御部１１の処理部起動の制御動作のフローチャートを示す。総合制御部１１は、動作中の処理部が第２の処理管理部３１に属する処理部であり、かつ、新たに起動する処理部が第１の処理管理部２１に属する処理部である場合、制御動作を開始して（ステップＳ１１ｈ）、第２の制御部３２を制御して、第２のダミー処理部３４を第２の処理管理部３１内で最も優先度を高くさせて、動作中とさせる（ステップＳ１１ｉ）。ここで、併せて、ステップＳ１１ｈの制御動作開始の際に動作中であった処理部を一時停止状態におかせる。
【００５８】
次に、総合制御部１１は、第１の制御部２２を制御して、新たに起動する処理部を第１のダミー処理部２４の優先度未満の優先度で起動させる（ステップＳ１１ｊ、その処理部は、起動前には一時停止状態または終了状態にあるので、実行可能状態に移させる。そして、第１の処理管理部２１に属する処理部の中で最も高い優先度の処理部は、第１のダミー処理部２４であるので、起動するタスクを第１のダミー処理部２４に次いで、２番目に高い優先度としても良い。）。
【００５９】
そして、起動が完了したとの通知を受け取ったか否かを調べることにより起動完了を待ち（ステップＳ１１ｋ）、起動が完了した場合、総合制御部１１は、その処理部を第１の処理管理部２１内の処理部の中で、最も優先度を高くさせて、動作中とさせる（ステップＳ１１ｍ）。この結果、第１のダミー処理部２４は、第１の処理管理部２１内の処理部の中で、２番目に優先度が高くなり、一時停止状態となる。
【００６０】
次に、総合制御部１１は、第１の処理管理部２１の優先度を第２の処理管理部３１の優先度より高くする。即ち、その旨を総合動作状況１１ｂに格納する。そして、表示部１５への表示の権利と、入力装置１６のキー操作を受け取る権利との制御を第１の制御部２２に委ね（ステップＳ１１ｎ）、制御動作を終了する（ステップＳ１１ｏ）。
【００６１】
総合制御部１１は、動作中の処理部が第１の処理管理部２１に属する処理部であり、かつ、新たに起動する処理部が第２の処理管理部３１に属する処理部である場合、第１の制御部２２を制御して、第１のダミー処理部２４を第１の処理管理部２１内で最も優先度を高くさせる。次に、第２の制御部３２を制御して、新たに起動する処理部を第２のダミー処理部３４の優先度未満の優先度で起動させ、起動の完了後、その処理部を第２の処理管理部３１内の処理部の中で、最も優先度を高くさせる。
【００６２】
この結果、第２のダミー処理部３４は、第２の処理管理部３１内の処理部の中で、２番目に優先度が高くなる。次に、総合制御部１１は、第２の処理管理部３１は、第１の処理管理部２１より優先度が高い旨を総合動作状況１１ｂに格納する。そして、表示部１５への表示の権利と、入力装置１６のキー操作を受け取る権利との制御を第２の制御部３２に委ねる。
【００６３】
この、動作中の処理部が第１の処理管理部２１に属する処理部であり、かつ、新たに起動する処理部が第２の処理管理部３１に属する処理部である場合の総合制御部１１の処理部起動の制御動作は、動作中の処理部が第２の処理管理部３１に属する処理部であり、かつ、新たに起動する処理部が第１の処理管理部２１に属する処理部である場合の総合制御部１１の処理部起動の制御動作と同様であり、フローチャートを参照した説明を省略する。
【００６４】
この起動処理によって、動作中の処理部と新たに起動される処理部が異なる処理管理部に属している場合、起動する処理部の起動が開始されてから完了するまでの間、表示部１５の表示は変化せず、入力装置１６のキー操作によって装置の処理部が処理を行うことはなく、装置の使用者に違和感を与えることはない。
【００６５】
また、新たに起動された処理部が属する処理管理部とは異なる処理管理部においては、その処理部が起動された後、ダミー処理部が最も優先度が高くなる。そのため、この異なる処理管理部が表示部１５に表示を行う権利及び／または入力装置１６のキー操作を受け取る権利をたとえ有したとしても、その権利はダミー処理部に与えられるので、表示部１５の表示に何ら影響を与えることなく、また、入力装置１６のキー操作に依存してこの異なる処理管理部に属する処理部による処理は行われない。
【００６６】
上記の動作中の処理部が第２の処理管理部３１に属する処理部であり、かつ、新たに起動する処理部が第１の処理管理部２１に属する処理部である場合の処理の一例を用いて説明する。図６は、この場合の処理に伴って、総合動作状況１１ｂにいずれの処理管理部に属する処理部が優先度が高いと記憶されているか、及び、第１の動作状況２３ａと第２の動作状況３３ａとに処理部が如何なる優先度で記憶されているかが変化する状況を示す。
【００６７】
即ち、図６（ａ）は、第２の動作状況３３ａが第１の動作状況２３ａより上に示されていることにより、第２の処理管理部３１が第１の処理管理部２１より優先度が高いと総合動作状況１１ｂに記憶されていることを示す。更に、第２の動作状況３３ａには、ブラウザ処理部３６と第２のダミー処理部３４が含まれ、かつ、前者が最も上に示されていることにより、ブラウザ処理部３６は、最大の優先度であり、後者は、前者の優先度未満の優先度であることを示す。
【００６８】
また、第１の動作状況２３ａには、第１のダミー処理部２４と待ち受け処理部２５が含まれ、かつ、前者が最も上に示されていることにより、第１のダミー処理部２４は、最大の優先度であり、後者は、前者の優先度未満の優先度であることを示す。この図６（ａ）は、図５に示すフローチャートのステップＳ１１ｈの制御動作が開始される状況に対応し、ブラウザ処理部３６が入力装置１６のキー操作を受け取って動作中であり、動作結果を表示部１５に表示している状況を示す。また、待ち受け処理部２５は、一時停止の状態にある状況を示す。
【００６９】
ここで、例えば、入力装置１６の所定のキーが操作されることにより、待ち受け処理部２５を起動させるとする。すると、まず、総合制御部１１は、動作中の処理部は第２の処理管理部３１に属するブラウザ処理部３６であることから、第２のダミー処理部３４を第２の動作状況３３ａの中で最大の優先度にさせる。図６（ｂ）は、第２のダミー処理部３４が第２の動作状況３３ａの中で最も上に示されていることにより、第２のダミー処理部３４が第２の動作状況３３ａの中で最大の優先度である状況を示す。
【００７０】
この図６（ｂ）は、図５に示すフローチャートのステップＳ１１ｉの第２のダミー処理部３４の優先度が高くされた状況に対応し、第２のダミー処理部３４は、入力装置１６のキー操作に依存した動作を行わず、かつ、表示部１５に表示しないことから、入力装置１６の装置が操作されても装置の動作に影響を与えず、かつ、表示部１５の表示は、図６（ａ）に状況を示すブラウザ処理部３６によって表示された画像が引き続き表示されたものである。
【００７１】
次に、総合制御部１１は、待ち受け処理部２５を起動させ、起動が完了すると、待ち受け処理部２５を第１の動作状況２３ａの中で最大の優先度にさせる。図６（ｃ）は、待ち受け処理部２５が第１の動作状況２３ａの中で最も上に示されていることにより、待ち受け処理部２５が第１の動作状況２３ａの中で最大の優先度である状況を示す。
【００７２】
この図６（ｃ）は、図５に示すフローチャートのステップＳ１１ｍの起動完了した処理部の優先度を最も高くさせた状況に対応し、図６（ｂ）に示した状況と同様に、第２のダミー処理部３４は、入力装置１６のキー操作に依存した動作を行わず、かつ、表示部１５に表示しないことから、入力装置１６の装置が操作されても装置の動作に影響を与えず、かつ、表示部１５の表示は、図６（ａ）に状況を示すブラウザ処理部３６によって表示された画像が引き続き表示されたものである。
【００７３】
待ち受け処理部２５の起動が完了したとの通知を受けて、総合制御部１１は、第１の処理管理部２１が第２の処理管理部３１より優先度を高くする制御を行う。図６（ｄ）は、第１の動作状況２３ａが第２の動作状況３３ａより上に示されていることにより、第１の処理管理部２１が第２の処理管理部３１より優先度が高いと総合動作状況１１ｂに記憶されていることを示す。
【００７４】
この図６（ｄ）は、図５に示すフローチャートのステップＳ１１ｎの第１の処理管理部２１の優先度が第２の処理管理部３１の優先度より高いと制御された状況に対応し、この、図６（ｄ）に示す優先度の状況に至って、待ち受け処理部２５が入力装置１６のキー操作を受け取って動作中であり、動作結果を表示部１５に表示している。この状況に至る、図６（ｂ）に示す状況及び図６（ｃ）に示す状況においては、既に説明した通り、表示部１５には、図６（ａ）に示す状況でブラウザ処理部３６が表示した画像が引き続き表示され、また、入力装置１６のキー操作に依存して動作する処理部はなく、使用者に違和感を与えることはない。
【００７５】
（処理部を終了する際の処理）
総合制御部１１が処理部を終了させる制御動作を、（１）総合動作状況１１ｂに高い優先度であると記憶された処理管理部に属する処理部であって、その処理管理部の動作状況に最大の優先度が付されて記憶されている処理部、即ち、動作中の処理部が、終了させる処理部に含まれている場合の制御動作と、（２）（１）以外の場合の制御動作に分けて説明する。
【００７６】
図７は、この（１）の場合の総合制御部１１の処理部終了の制御動作のフローチャートを示す。なお、総合動作状況１１ｂに高い優先度であると記憶された処理管理部が第１の処理管理部２１である場合の総合制御部１１の制御動作を説明する。高い優先度である処理管理部が、第２の処理管理部３１である際の制御動作も同様であって、説明を省略する。
【００７７】
総合制御部１１は、処理部を終了させるに際し、動作中の処理部が、終了させる処理部に含まれている場合、制御動作を開始する（ステップＳ１１ｐ）。
【００７８】
そして、総合制御部１１は、終了させる処理部を終了させる（ステップＳ１１ｑ）。ここで、終了させる処理部が第１の処理管理部２１に属する処理部であれば、第１の制御部２２を制御して終了させ、第１の動作状況２３ａからその処理部の情報を削除させる。また、終了させる処理部が第２の処理管理部３１に属する処理部であれば、第２の制御部３２を制御して終了させ、第２の動作状況３３ａからその処理部の情報を削除させる。そして、終了された処理部に関する情報を総合動作状況１１ｂから削除する。
【００７９】
この終了制御の際、動作中の処理部が終了されても、表示部１５の表示は変わらない。なぜなら、第１の処理管理部２１に属する処理部の中で、２番目に高い優先度が付された処理部は第１のダミー処理部２４であり、上記処理部の終了に伴い、最も高い優先度が付された処理部は第１のダミー処理部２４となるためである。
【００８０】
次に、総合制御部１１は、総合動作状況１１ｂに記憶された、起動された処理部の中で最も近い過去に起動された処理部が第１の処理管理部２１に属する処理部であるか、第２の処理管理部３１に属する処理部であるかを調べる（ステップＳ１１ｒ）。そして、その処理部が処理管理部２１に属する処理部である場合、第１の制御部２２を制御して、その処理部を起動させる（ステップＳ１１ｓ、その処理部は、一時停止状態にあるので、実行可能状態に移させる。）。なお、第１の処理管理部２１に属する処理部の中で最も優先度が高い処理部は第１のダミー処理部２４であるので、起動の際、起動される処理部は、第１のダミー処理部２４に次いで２番目に高い優先度が付されている。
【００８１】
そして、起動が完了したとの通知を受け取ったか否かを調べることにより起動完了を待ち（ステップＳ１１ｔ）、起動が完了した場合、総合制御部１１は、その起動された処理部を第１の処理管理部２１に属する処理部の中で最大の優先度とさせて、動作中とさせ、第１の動作状況２３ａを更新させて（ステップＳ１１ｕ）、制御動作を終了する（ステップＳ１１ｖ）。これによって、第１のダミー処理部２４は、第１の処理管理部２１に属する処理部の中で、２番目に高い優先度が付され、一時停止状態となる。
【００８２】
一方、ステップＳ１１ｒで、最も近い過去に起動された処理部が第２の処理管理部３１に属する処理部の場合、総合制御部１１は、第２の制御部３２を制御して、その処理部を起動させる（ステップＳ１１ｗ、その処理部は、一時停止状態にあるので、実行可能状態に移させる。）。なお、第２の処理管理部３１に属する処理部の中で最も優先度が高い処理部は、第２のダミー処理部３４であるので、起動の際、起動される処理部は、第２のダミー処理部３４に次いで、２番目に高い優先度が付されている。
【００８３】
そして、起動が完了したとの通知を受け取ったか否かを調べることにより起動完了を待ち（ステップＳ１１ｘ）、起動が完了した場合、総合制御部１１は、その起動された処理部を第２の処理管理部３１に属する処理部の中で最大の優先度とさせて、動作中とさせ、第２の動作状況３３ａを更新させる（ステップＳ１１ｙ）。この優先度の変更により、起動完了の後、第２のダミー処理部３４は、第２の処理管理部３１に属する処理部の中で２番目に高い優先度が付され、一時停止状態となる。
【００８４】
更に、総合制御部１１は、第２の処理管理部３１の優先度を第１の処理管理部２１の優先度より高くし、その旨を総合動作状況１１ｂに更新記憶して（ステップＳ１１ｚ）、制御動作を終了する（ステップＳ１１ｖ）。
【００８５】
上記（２）の場合、総合制御部１１は、終了させる処理部が第１の処理管理部２１に属する処理部であれば、第１の制御部２２を制御して終了させ、第１の動作状況２３ａからその処理部の情報を削除させる。また、終了させる処理部が第２の処理管理部３１に属する処理部であれば、第２の制御部３２を制御して終了させ、第２の動作状況３３ａからその処理部の情報を削除させる。そして、終了された処理部に関する情報を総合動作状況１１ｂから削除する。
【００８６】
この（２）の場合、処理部の終了の制御動作の前後を問わず、総合動作状況１１ｂに高い優先度であると記憶された処理管理部に属する処理部であって、その処理管理部の動作状況に最大の優先度が付されて記憶されている処理部、即ち、動作中の処理部は変わらず、その処理部が入力装置１６のキー操作を受け取って動作中であり、動作結果を表示部１５に表示している。このため、表示部１１の表示の切り替えは発生せず、使用者に違和感を与えるおそれはない。
【００８７】
上記（１）の場合の制御動作を、一例を用いて説明する。図８は、この場合の処理に伴って、第１の動作状況２３ａに起動された処理部が如何なる優先度で記憶されているかが変化する状況を示す。なお、この変化の過程の全ての状況において、第１の処理管理部２１が第２の処理管理部３１より優先度が高いと総合動作状況１１ｂに記憶されている。そして、第２の処理管理部３１の処理部の中で起動された処理部は第２のダミー処理部３４のみで、この場合の処理に伴って変化することはないため、第２の動作状況３３ａに記憶された情報の図示を省略する。
【００８８】
図８（ａ）は、第１の処理管理部２１に属する処理部で起動された処理部は、優先度が高い順に、通話処理部２６と、第１のダミー処理部２４と、アドレス帳処理部２７と、待ち受け処理部２５とであることを示し、通話処理部２６が動作中であることを示す。この状態は、使用者によって、待ち受け処理部２５が動作中にアドレス帳処理部２７が起動され、アドレス帳処理部２７が動作中に通話処理部２６が起動されて動作中である状況を示す。
【００８９】
この図８（ａ）は、図７に示すフローチャートのステップＳ１１ｐの制御動作が開始される状況に対応し、通話処理部２６が入力装置１６のキー操作を受け取って動作中であり、動作結果を表示部１５に表示している状況を示す。また、アドレス帳処理部２７と待ち受け処理部２５は、一時停止の状態にある状況を示す。
【００９０】
この状況で、通話処理部２６及びアドレス帳処理部２７を終了させる場合、総合制御部１１は、まず、第１の制御部２２を制御して、通話処理部２６を終了させ、その結果、第１のダミー処理部２４を第１の処理管理部２１中の最高の優先度を付させる。図８（ｂ）は、この状況を示す。続いて、総合制御部１１は、アドレス帳処理部２７を終了させる。図８（ｃ）は、通話処理部２６及びアドレス帳処理部２７の終了の制御が完了した状況を示す。
【００９１】
この図８（ｂ）は、図７に示すフローチャートのステップＳ１１ｑの処理部の終了の制御中に対応し、図８（ｃ）は、そのステップの処理部の終了の制御が完了した状況に対応し、いずれのステップにおいても第１のダミー処理部２４の優先度が最高であり、第１のダミー処理部２４は、入力装置１６のキー操作に依存した動作を行わず、かつ、表示部１５に表示しないことから、入力装置１６の装置が操作されても装置の動作に影響を与えず、かつ、表示部１５の表示は、図８（ａ）に状態を示す通話処理部２６によって表示された画像が引き続き表示されたものである。
【００９２】
これらの処理部の終了の制御が完了した後、総合制御部１１は、総合動作状況１１ｂに記憶された起動された処理部の中で、最も近い過去に起動された処理部である待ち受け処理部２５を起動させる（図７に示すフローチャートのステップＳ１１ｓに対応する。）。そして、その起動が完了した後、第１の制御部２２を制御して、待ち受け処理部２５を第１の処理管理部２１の中で最も優先度が高い処理部とさせる。図８（ｄ）は、図７に示すフローチャートのステップＳ１１ｕの処理が完了したことに対応し、この処理が完了した状況を示す。
【００９３】
この、図８（ｄ）に示す優先度の状況に至って、待ち受け処理部２５が入力装置１６のキー操作を受け取って動作中であり、動作結果を表示部１５に表示を行っている。この状況に至る、図８（ｂ）に示す状況及び図８（ｃ）に示す状況においては、表示部１５には、図８（ａ）に示す状況で通話処理部２６が表示した画像が引き続き表示され、また、入力装置１６のキー操作に依存して動作する処理部はなく、使用者に違和感を与えることはない。
【００９４】
以上の説明では、処理管理部は、第１の処理管理部２１と、第２の処理管理部３１との２つであるとしたが、３つ以上であっても良く、何ら制御動作に変わることはない。また、それぞれの処理管理部に属する処理部の数はいくつであっても良く、何ら制御動作に変わることはない。
【００９５】
以上の説明では、総合制御部１１と、第１の制御部２２と、第２の制御部３２とによって制御動作を行うとしたが、これに限るものではない。総合制御部１１が、第１の制御部２２または第２の制御部３２の動作を併せて行っても良い。
【００９６】
以上の説明では、全ての処理部は処理管理部に属するとしたが、これに限るものではない。処理管理部に属さず、総合制御部１１の制御を直接受ける処理部があっても良い。この場合、総合制御部１１は、直接制御する処理部に対して処理管理部の制御部の制御動作を併せて行うが、これに限るものではない。
【００９７】
例えば、総合制御部１１は、総合制御部１１の制御を直接受ける処理部であって、動作中の処理部の終了に際し、その処理部を制御して、表示部１５の表示を維持させる制御をしても良い。また、総合制御部１１の制御を直接受ける処理部であって、終了する処理部と起動が完了していない処理部とのいずれにも入力装置１６のキー操作によって入力された情報を与えない制御をしても良い。これらの制御により、総合制御部１１の制御を直接受けるダミー処理部を設けない構成としても良い。
【００９８】
また、総合制御部１１は、総合制御部１１の制御を直接受ける処理部の終了または起動による状況の変化の際、表示部１５を直接制御して、上記終了または起動前の画像を表示させることによって、表示部１５の表示の違和感を与えないとしても良い。また、入力装置１６を直接制御して、上記終了または起動が完了するまでに操作されたキーを無視することによって、いずれの処理部もその操作されたキーに依存して動作しないとしても良い。このように、表示部１５及び入力装置１６を直接制御することによって、総合制御部１１の制御を直接受けるダミー処理部を設けない構成としても良い。
【００９９】
以上の説明は、本発明を移動通信端末装置に適用した形態を例にとって行ったが、これに限るものではない。本発明は、あらゆる情報処理装置に適用することが当然に可能である。本発明は以上の構成に限定されるものではなく、種々の変形が可能である。
【図面の簡単な説明】
【０１００】
【図１】本発明の実施形態に係る移動通信端末装置の構成を示すブロック図。
【図２】本発明の実施形態に係る第１の処理管理部の構成を示すブロック図。
【図３】本発明の実施形態に係る第２の処理管理部の構成を示すブロック図。
【図４】本発明の実施形態に係る総合制御部１１の処理部起動の制御動作のフローチャート（その１、動作中の処理部と新たに起動される処理部とが同じ処理管理部に属す場合）。
【図５】本発明の実施形態に係る総合制御部１１の処理部起動の制御動作のフローチャート（その２、動作中の処理部と新たに起動される処理部とが異なる処理管理部に属す場合）。
【図６】本発明の実施形態に係る処理部の優先度の遷移を示す図（その１、異なる処理管理部の間で動作中の処理部が移動する例）。
【図７】本発明の実施形態に係る総合制御部１１の処理部終了の制御動作のフローチャート。
【図８】本発明の実施形態に係る処理部の優先度の遷移を示す図（その２、１つの処理管理部に属す処理部が終了する例）。
【符号の説明】
【０１０１】
１１  総合制御部
１１ａ  総合動作状況記憶部
１１ｂ  総合動作状況
１５  表示部
１６  入力装置
２１  第１の処理管理部
２２  第１の制御部
２３  第１の動作状況記憶部
２３ａ  第１の動作状況
２４  第１のダミー処理部
２５  待ち受け処理部
２６  通話処理部
２７  アドレス帳処理部
３１  第２の処理管理部
３２  第２の制御部
３３  第２の動作状況記憶部
３３ａ  第２の動作状況
３４  第２のダミー処理部
３５  電子メール処理部
３６  ブラウザ処理部
【図１】
0005162821.tif 000002
【図２】
0005162821.tif 000003
【図３】
0005162821.tif 000004
【図４】
0005162821.tif 000005
【図５】
0005162821.tif 000006
【図６】
0005162821.tif 000007
【図７】
0005162821.tif 000008
【図８】
0005162821.tif 000009